(57)【要約】【課題】麦飯石の蓄熱時に加熱炉がレンガ台に対して下降するように設計してサウナ利用者が熱浴する利用スペースをサウナ室床面により広く確保するとともに、レンガ台の外側壁と加熱炉の内側壁との間の気密性を維持して麦飯石の加熱効率を向上し、しかも、サウナ室内の室温にムラを生じさせることなく一定の室温に維持する加熱炉下降型麦飯石サウナ装置を提供すること。【解決手段】サウナ室床面Ａに設置されて麦飯石１１１を外側壁に集積外装するレンガ台１１０と、麦飯石１１１の蓄熱時にサウナ室床面Ａに下降してレンガ台１１０の外側壁を包囲状態で加熱するとともに麦飯石１１１の放熱時にサウナ室の天井側スペースＷに上昇して退避する加熱炉１２０と、加熱炉１２０を昇降させる加熱炉昇降機構１３０とを備えている加熱炉下降型麦飯石サウナ装置１００。【選択図】図１
2009291519.tif 000002
【特許請求の範囲】
【請求項１】
サウナ室床面に設置されて麦飯石を外側壁に集積外装するレンガ台と、前記麦飯石の蓄熱時にサウナ室床面に下降してレンガ台の外側壁を包囲状態で加熱するとともに前記麦飯石の放熱時にサウナ室の天井側スペースに上昇して退避する加熱炉と、該加熱炉を昇降させる加熱炉昇降機構とを備えていることを特徴とする加熱炉下降型麦飯石サウナ装置。
【請求項２】
前記麦飯石の蓄熱時にレンガ台の外側壁と加熱炉の内側壁との間を気密状態に保持する凹凸係合構造が、前記レンガ台の下方端と加熱炉の下方端との相互間に形成されていることを特徴とする請求項１記載の加熱炉下降型麦飯石サウナ装置。
【請求項３】
前記麦飯石の蓄熱時にレンガ台の外側壁と加熱炉の内側壁との間からの外部放熱を遮断する耐火レンガが、前記レンガ台及び加熱炉の下方端にそれぞれ配置されていることを特徴とする請求項１または請求項２記載の加熱炉下降型麦飯石サウナ装置。
【請求項４】
前記レンガ台が、円柱体で形成されているとともに、
前記加熱炉が、前記レンガ台に被嵌可能な上蓋付き円筒体で形成されていることを特徴とする請求項１乃至請求項３のいずれかに記載の加熱炉下降型麦飯石サウナ装置。
【請求項５】
前記加熱炉昇降機構が、前記加熱炉を吊り下げ状態で支持する昇降用チェーンと、該昇降用チェーンを巻き取って加熱炉を昇降動させるチェーン巻き取り用スプロケットと、該チェーン巻き取り用スプロケットを回転駆動する電気モータとを備えていることを特徴とする請求項１乃至請求項４のいずれかに記載の加熱炉下降型麦飯石サウナ装置。
【発明の詳細な説明】
【技術分野】
【０００１】
本発明は、サウナ装置に係り、特に、サウナ室内を昇温させる熱源として麦飯石を用いるとともに該麦飯石の蓄熱時に加熱炉を下降させてレンガ台を包囲する加熱炉下降型麦飯石サウナ装置に関する。
【背景技術】
【０００２】
従来、サウナ装置として、電気加熱炉によって加熱された遠赤外線放射石を台車を用いて所定位置にまで搬送するサウナ装置がある（例えば、特許文献１参照。）。
【特許文献１】特開２００５−１８５４７５号公報
【発明の開示】
【発明が解決しようとする課題】
【０００３】
ところが、従来のサウナ装置では、遠赤外線放射石を加熱するための電気加熱炉や遠赤外線放射石を搬送する台車を移動させるための搬送路をサウナ利用者が熱浴するフロアと同じフロア内に設置しているため、この電気加熱炉や搬送路を設置した分だけサウナ利用者の利用スペースが狭くなるという問題があった。
【０００４】
そこで、本発明は、従来の問題を解決するものであって、すなわち、本発明の目的は、麦飯石の蓄熱時に加熱炉がレンガ台に対して下降するように設計してサウナ利用者の利用スペースをサウナ室床面により広く確保するとともに、レンガ台の外側壁と加熱炉の内側壁との間の気密性を維持して麦飯石の加熱効率を向上し、しかも、サウナ室内の室温にムラを生じさせることなく一定の室温に維持する加熱炉下降型麦飯石サウナ装置を提供することである。
【課題を解決するための手段】
【０００５】
請求項１に係る本発明は、サウナ室床面に設置されて麦飯石を外側壁に集積外装するレンガ台と、前記麦飯石の蓄熱時にサウナ室床面に下降してレンガ台の外側壁を包囲状態で加熱するとともに前記麦飯石の放熱時にサウナ室の天井側スペースに上昇して退避する加熱炉と、該加熱炉を昇降させる加熱炉昇降機構とを備えていることにより、前述した課題を解決したものである。
【０００６】
請求項２に係る本発明は、請求項１記載の構成に加えて、前記麦飯石の蓄熱時にレンガ台の外側壁と加熱炉の内側壁との間を気密状態に保持する凹凸係合構造が、前記レンガ台の下方端と加熱炉の下方端との相互間に形成されていることにより、前述した課題を解決したものである。
【０００７】
請求項３に係る本発明は、請求項１または請求項２記載の構成に加えて、前記麦飯石の蓄熱時にレンガ台の外側壁と加熱炉の内側壁との間からの外部放熱を遮断する耐火レンガが、前記レンガ台及び加熱炉の下方端にそれぞれ配置されていることにより、前述した課題を解決したものである。
【０００８】
請求項４に係る本発明は、請求項１乃至請求項３のいずれかに記載の構成に加えて、前記レンガ台が円柱体で形成されているとともに、前記加熱炉が前記レンガ台に被嵌可能な上蓋付き円筒体で形成されていることにより、前述した課題を解決したものである。
【０００９】
請求項５に係る本発明は、請求項１乃至請求項４のいずれかに記載の構成に加えて、前記加熱炉昇降機構が、前記加熱炉を吊り下げ状態で支持する昇降用チェーンと、該昇降用チェーンを巻き取って加熱炉を昇降動させるチェーン巻き取り用スプロケットと、該チェーン巻き取り用スプロケットを回転駆動する電気モータとを備えていることにより、前述した課題を解決したものである。
【発明の効果】
【００１０】
請求項１に係る本発明の加熱炉下降型麦飯石サウナ装置によれば、サウナ室床面に設置されて麦飯石を外側壁に集積外装するレンガ台と、サウナ室の天井側スペースとサウナ室床面との間を昇降する加熱炉と、加熱炉を昇降させる加熱炉昇降機構とを備えていることにより、麦飯石の蓄熱時に加熱炉昇降機構を用いて加熱炉をサウナ室床面に下降させてレンガ台の外側壁に集積外装された麦飯石を包囲状態で加熱するので、サウナ室内の温度状況に応じて麦飯石を加熱してサウナ室内の温度を安定して一定温度に維持できる。
【００１１】
また、麦飯石の放熱時に加熱炉が天井側スペースに上昇して退避するように設計されていることにより、サウナ室床面が加熱炉を退避させる退避スペースや加熱炉を移動させる移動スペースなどで制限されないため、サウナ利用者が熱浴する利用スペースをサウナ室床面により広く確保して快適な熱浴環境を提供できる。
【００１２】
そして、加熱炉が垂直方向に向けて昇降するように設計されていることにより、麦飯石の蓄熱時に加熱炉がサウナ室床面に下降してレンガ台の外側壁を全面に亘って包囲するため、レンガ台の外側壁に集積外装された各麦飯石を気密性を確保した状態で均等に加熱して各麦飯石の温度を一定に保つことができる。
【００１３】
請求項２に係る本発明の加熱炉下降型麦飯石サウナ装置によれば、請求項１記載の加熱炉下降型麦飯石サウナ装置が奏する効果に加えて、凹凸係合構造がレンガ台の下方端と加熱炉の下方端との相互間に形成されていることにより、この凹凸係合構造が麦飯石の蓄熱時にレンガ台の外側壁と加熱炉の内側壁との間を気密状態に保持するので、加熱炉による麦飯石の加熱効率を向上して麦飯石の蓄熱時間を著しく短縮できる。
【００１４】
請求項３に係る本発明の加熱炉下降型麦飯石サウナ装置によれば、請求項１または請求項２記載の加熱炉下降型麦飯石サウナ装置が奏する効果に加えて、耐火レンガがレンガ台の下方端と加熱炉の下方端とにそれぞれ配置されていることにより、麦飯石の蓄熱時に耐火レンガがレンガ台の外側壁と加熱炉の内側壁との間からの外部放熱を遮断して気密性を維持するので、サウナ室内に余分な熱を放熱することなく加熱炉による麦飯石の加熱効率を向上できる。
【００１５】
請求項４に係る本発明の加熱炉下降型麦飯石サウナ装置によれば、請求項１乃至請求項３のいずれかに記載の加熱炉下降型麦飯石サウナ装置が奏する効果に加えて、レンガ台が円柱体で形成されていることにより、レンガ台の外周壁に集積外装された麦飯石がサウナ室内における水平方向の全方位に向けて均等に放熱するため、サウナ室内の室温にムラを生じさせることなく一定に維持できる。
【００１６】
また、加熱炉がレンガ台に被嵌可能な上蓋付き円筒体で形成されていることにより、レンガ台の外周壁と加熱炉の内周壁との間隔を一定に保持した状態で加熱炉がレンガ台の外周壁を全面に亘って包囲して各麦飯石を均等に加熱するため、このようにして均等に加熱された麦飯石でサウナ室全体をムラなく昇温させることができる。
【００１７】
請求項５に係る本発明の加熱炉下降型麦飯石サウナ装置によれば、請求項１乃至請求項４のいずれかに記載の加熱炉下降型麦飯石サウナ装置が奏する効果に加えて、加熱炉昇降機構が、昇降用チェーンとチェーン巻き取り用スプロケットと電気モータとを備えていることにより、電気モータにより回転駆動するチェーン巻き取り用スプロケットで昇降用チェーンを巻き取って、昇降用チェーンにより吊り下げ状態で支持された加熱炉を昇降動させるため、電気モータによる小さい駆動力で重量物である加熱炉を等速状態で昇降させて、過分な駆動力を必要とすることなく加熱炉の安定した昇降動を実現できる。
【発明を実施するための最良の形態】
【００１８】
本発明の加熱炉下降型麦飯石サウナ装置は、サウナ室床面に設置されて麦飯石を外側壁に集積外装するレンガ台と、麦飯石の蓄熱時にサウナ室床面に下降してレンガ台の外側壁を包囲状態で加熱するとともに麦飯石の放熱時にサウナ室の天井側スペースに上昇して退避する加熱炉と、加熱炉を昇降させる加熱炉昇降機構とを備えて、麦飯石の蓄熱時に加熱炉がレンガ台に対して下降するように設計してサウナ利用者の利用スペースをサウナ室床面により広く確保するとともに、レンガ台の外側壁と加熱炉の内側壁との間の気密性を維持して麦飯石の加熱効率を向上し、しかも、サウナ室内の室温にムラを生じさせることなく一定の室温に維持するものであれば、その具体的な実施の態様は、如何なるものであっても何ら構わない。
【００１９】
例えば、本発明の加熱炉下降型麦飯石サウナ装置で用いられるレンガ台の具体的な態様については、レンガ台の外側壁に集積外装された麦飯石がサウナ室全体に対して均等に放熱してムラを生じさせることなく昇温させるものであれば、円柱状で形成されたもの、断面が正多角形で形成されたもの等の如何なるものであっても良い。
【００２０】
また、本発明の加熱炉下降型麦飯石サウナ装置で用いられる加熱炉の具体的な態様については、加熱炉の内側壁とレンガ台の外側壁との間隔を一定に保持した状態でレンガ台の外側壁を全面に亘って包囲して各麦飯石を均等に加熱するものであれば、レンガ台に被嵌可能な上蓋付き円筒状のもの、その側壁が正多角形を呈するレンガ台に被嵌可能な上蓋付き筒状のもの等の如何なるものであっても良い。
【００２１】
また、本発明の加熱炉下降型麦飯石サウナ装置で用いられる加熱炉昇降機構の具体的な態様については、加熱炉の安定した昇降動作を実現するものであれば如何なる態様であっても何ら構わない。
【実施例】
【００２２】
以下、本発明の一実施例である加熱炉下降型麦飯石サウナ装置１００を図面に基づいて説明する。
ここで、図１は、本発明の一実施例である加熱炉下降型麦飯石サウナ装置の全体概要図であり、図２は、麦飯石の蓄熱時における加熱炉下降型麦飯石サウナ装置を示す断面図であり、図３は、加熱炉下降型麦飯石サウナ装置を上方から見た平面図であり、図４は、加熱炉が天井側スペースに収容された状態を示す動作説明図であり、図５は、加熱炉が下降する途中の状態を示す動作説明図であり、図６は、加熱炉が下降しきった状態を示す動作説明図である。
【００２３】
まず、本発明の一実施例である加熱炉下降型麦飯石サウナ装置１００は、図１に示すように、サウナ室床面Ａに設置されて麦飯石１１１を外側壁に集積外装したレンガ台１１０と、サウナ室床面Ａとサウナ室の天井側スペースＷとの間を昇降して下降時にレンガ台１１０の麦飯石１１１を加熱して蓄熱させる加熱炉１２０と、加熱炉１２０を昇降させる加熱炉昇降機構１３０とを基本的な装置構成として備えている。
なお、前述した天井側スペースＷは、加熱炉１２０を上昇時に収容するとともに加熱炉昇降機構１３０を設置するためにサウナ室の天井側に設けられた空間である。
【００２４】
まず、レンガ台１１０について、図１乃至図３に基づいて説明する。
レンガ台１１０は、図１及び図２に示すように、サウナ室床面Ａに設置されている。
このレンガ台１１０は、図１乃至図３に示すように、円柱体を呈するとともに、蓄熱体としての麦飯石１１１を外側壁に集積外装しており、この麦飯石１１１は、ジルコンを多量に含有した花崗はん岩からなり、α線や遠赤外線を多量にサウナ室内に放射してサウナ室内の室温を昇温させるようになっている。
【００２５】
レンガ台１１０の下方端には、図１及び図２に示すように、耐火レンガ１１２が段差状に配置されており、このレンガ台１１０の耐火レンガ１１２は、加熱炉１２０の下降時に後述する加熱炉１２０の耐火レンガ１２２と凹凸係合してレンガ台１１０の外側壁と加熱炉１２０の内側壁との間を気密状態に保持して外部放熱を遮断するようになっている。
【００２６】
次に、加熱炉１２０について、図１乃至図６に基づいて説明する。
加熱炉１２０は、図１乃至図３に示すように、断熱材から成形されているとともに、レンガ台１１０に被嵌可能な上蓋付き円筒状を呈しており、加熱炉１２０の内側壁側には、レンガ台１１０の麦飯石１１１を加熱する電熱ヒータ１２１が装着されている。
【００２７】
加熱炉１２０の下方端には、耐火レンガ１２２が段差状に配置されており、前述したようにレンガ台１１０の耐火レンガ１１２と凹凸係合してレンガ台１１０の外側壁と加熱炉１２０の内側壁との間を気密状態に保持して外部放熱を遮断するようになっている。
【００２８】
加熱炉１２０は、図１乃至図６に示すように、後述する昇降用チェーン１３１により吊り下げ状態で支持されて垂直方向に向けて昇降駆動するようになっており、図４に示すように、麦飯石１１１の放熱時にサウナ室の天井側スペースＷに上昇して退避するとともに、図６に示すように、麦飯石１１１の蓄熱時にサウナ室床面Ａに下降して電熱ヒータ１２１でレンガ台１１０の外側壁を包囲状態で加熱するように設計されている。
なお、図５は、図４に示す加熱炉１２０が天井側スペースＷに収容された状態から、図６に示す加熱炉１２０がサウナ室床面Ａにまで下降しきった状態との間における加熱炉１２０の下降途中の状態を示す図である。
また、図１乃至図６に示す符号１２３は、サウナ室の天井側に設置されて上昇した加熱炉１２０を収容する加熱炉用ケーシングであり、図２に示す符号１２４は、加熱炉用ケーシング１２３の内側に取り付けられて加熱炉１２０の昇降動作を円滑にガイドするガイドローラである。
【００２９】
次に、加熱炉昇降機構１３０について、図１乃至図３に基づいて説明する。
加熱炉昇降機構１３０は、図１乃至図３に示すように、加熱炉１２０の上蓋部分に取り付けられて加熱炉１２０を吊り下げ状態で支持する昇降用チェーン１３１と、昇降用チェーン１３１を巻き取って加熱炉１２０を昇降動させるチェーン巻き取り用スプロケット１３２と、チェーン巻き取り用スプロケット１３２を回転駆動する電気モータ１３３とを備えており、電気モータ１３３により回転駆動するチェーン巻き取り用スプロケット１３２で昇降用チェーン１３１を巻き取って、加熱炉１２０を昇降動させるように設計されている。
前述したチェーン巻き取り用スプロケット１３２の外周は、加熱炉１２０を上昇させた際に昇降用チェーン１３１を巻き取るのに充分な長さを有している。
なお、図１乃至図３に示す符号１３４は、前述したチェーン巻き取り用スプロケット１３２や電気モータ１３３などをサウナ室の天井側において支持する昇降機構用支持体である。
【００３０】
このようにして得られた本実施例の加熱炉下降型麦飯石サウナ装置１００は、サウナ室床面Ａに設置されて麦飯石１１１を外側壁に集積外装するレンガ台１１０と、サウナ室の天井側スペースＷとサウナ室床面Ａとの間を昇降する加熱炉１２０と、加熱炉１２０を昇降させる加熱炉昇降機構１３０とを備えている。
したがって、麦飯石１１１の蓄熱時に加熱炉昇降機構１３０を用いて加熱炉１２０をサウナ室床面Ａに下降させてレンガ台１１０の外側壁に集積外装された麦飯石１１１を包囲状態で加熱するので、サウナ室内の温度状況に応じて麦飯石１１１を加熱してサウナ室内の室温を安定して一定に維持できる。
【００３１】
また、加熱炉１２０が、麦飯石１１１の放熱時にサウナ室の天井側スペースＷに上昇して退避するように設計されている。
したがって、サウナ室床面Ａが加熱炉１２０を退避させる退避スペースや加熱炉１２０を移動させる移動スペースなどで制限されないため、サウナ利用者が熱浴する利用スペースをサウナ室床面Ａにより広く確保して快適な熱浴環境を提供できる。
【００３２】
そして、加熱炉１２０が、垂直方向に向けて昇降するように設計されている。
したがって、麦飯石１１１の蓄熱時に加熱炉１２０がサウナ室床面Ａに下降してレンガ台１１０の外側壁を全面に亘って包囲するため、レンガ台１１０の外側壁に集積外装された各麦飯石１１１を気密性を確保した状態で均等に加熱して各麦飯石１１１の温度を一定に保つことができる。
【００３３】
また、凹凸係合構造が、レンガ台１１０の下方端と加熱炉１２０の下方端との相互間に形成されている。
したがって、この凹凸係合構造が麦飯石１１１の蓄熱時にレンガ台１１０の外側壁と加熱炉１２０の内側壁との間を気密状態に保持するので、加熱炉１２０による麦飯石１１１の加熱効率を向上して麦飯石１１１の蓄熱時間を著しく短縮できる。
【００３４】
また、耐火レンガ１１２、１２２が、レンガ台１１０の下方端と加熱炉１２０の下方端とにそれぞれ配置されている。
したがって、麦飯石１１１の蓄熱時に耐火レンガ１１２、１２２がレンガ台１１０の外側壁と加熱炉１２０の内側壁との間からの外部放熱を遮断して気密性を維持するので、サウナ室内に余分な熱を放熱することなく加熱炉１２０による麦飯石１１１の加熱効率を向上できる。
【００３５】
また、レンガ台１１０が円柱体で形成されていることにより、レンガ台１１０の外周壁に集積外装された麦飯石１１１がサウナ室内における水平方向の全方位に向けて均等に放熱するため、サウナ室内の室温にムラを生じさせることなく一定に維持できる。
【００３６】
また、加熱炉１２０がレンガ台１１０に被嵌可能な上蓋付き円筒体で形成されていることにより、レンガ台１１０の外周壁と加熱炉１２０の内周壁との間隔を一定に保持した状態で加熱炉１２０がレンガ台１１０の外周壁を全面に亘って包囲して各麦飯石１１１を均等に加熱するため、このように均等に加熱された麦飯石１１１でサウナ室全体をムラなく昇温させることができる。
【００３７】
そして、加熱炉昇降機構１３０が、昇降用チェーン１３１とチェーン巻き取り用スプロケット１３２と電気モータ１３３とを備えている。
したがって、電気モータ１３３により回転駆動するチェーン巻き取り用スプロケット１３２で昇降用チェーン１３１を巻き取って、昇降用チェーン１３１により吊り下げ状態で支持された加熱炉１２０を昇降動させるため、電気モータ１３３による小さい駆動力で重量物である加熱炉１２０を等速状態で昇降させて、過分な駆動力を必要とすることなく加熱炉１２０の安定した昇降動を実現できるなど、その効果は甚大である。
【図面の簡単な説明】
【００３８】
【図１】本発明の一実施例である加熱炉下降型麦飯石サウナ装置の全体概要図。
【図２】麦飯石の蓄熱時における加熱炉下降型麦飯石サウナ装置を示す断面図。
【図３】加熱炉下降型麦飯石サウナ装置を上方から見た平面図。
【図４】加熱炉が天井側スペースに収容された状態を示す動作説明図。
【図５】加熱炉が下降する途中の状態を示す動作説明図。
【図６】加熱炉が下降しきった状態を示す動作説明図。
【符号の説明】
【００３９】
１００  ・・・  加熱炉下降型麦飯石サウナ装置
１１０  ・・・  レンガ台
１１１  ・・・  麦飯石
１１２  ・・・  耐火レンガ
１２０  ・・・  加熱炉
１２１  ・・・  電熱ヒータ
１２２  ・・・  耐火レンガ
１２３  ・・・  加熱炉用ケーシング
１２４  ・・・  ガイドローラ
１３０  ・・・  加熱炉昇降機構
１３１  ・・・  昇降用チェーン
１３２  ・・・  チェーン巻き取り用スプロケット
１３３  ・・・  電気モータ
１３４  ・・・  昇降機構用支持体
Ｗ    ・・・  天井側スペース
Ａ    ・・・  サウナ室床面
【図１】
2009291519.tif 000003
【図２】
2009291519.tif 000004
【図３】
2009291519.tif 000005
【図４】
2009291519.tif 000006
【図５】
2009291519.tif 000007
【図６】
2009291519.tif 000008